(57)【要約】  【課題】ミシン機枠に凹部を形成せずに、糸調子スプリングの張力を２段階調整可能な上糸張力調整装置の提供。  【解決手段】糸調子ダイアルにリブ部材を設け、糸調子ダイアルの回動角が所定量を超えたときに、リブ部材が糸調子スプリングの回り止め部に乗り上げるようにした。【選択図】  図６
2008104752.tif 000002
【特許請求の範囲】
【請求項１】
一端部がミシン機枠に固定された糸調子軸と、
前記糸調子軸上の前記ミシン機枠に近接する位置に遊嵌され、上糸を移動可能に挟持する一対の糸調子皿と、
前記糸調子軸のネジ部上に軸方向移動可能に螺合された移動体と、
前記一対の糸調子皿の一方と前記移動体との間に張設され、前記一方の糸調子皿側の端部が半径外方向に延出したのち屈曲されて前記ミシン機枠に固定された糸調子バネと、
前記糸調子軸の他端部側に回転可能に装着された糸調子ダイアルと、
前記糸調子バネの端部の延出部と対峙するように前記糸調子ダイアルに一体的に設けられ、前記糸調子ダイアルが初期位置から所定量だけ回転されたときに前記糸調子バネの端部の延出部に乗り上げるリブ部材と、
前記糸調子ダイアルの内部に収容され、前記糸調子ダイアルに対しては一体回転可能であって、前記糸調子ダイアルの回動時に、前記回動量に応じて前記移動体を軸方向に移動させる調整部材とを備えた、上糸張力調整装置。
【発明の詳細な説明】
【技術分野】
【０００１】
本発明は、上糸張力調整装置に関する。
【背景技術】
【０００２】
従来の上糸張力調整装置としては、例えば特許文献１に開示されたものがある。この上糸張力調整装置は、一対の糸調子皿と、この一対の糸調子皿を押圧して上糸を挟持されるための糸調子バネと、一対の糸調子皿と糸調子バネとの間に介装され、糸調子バネの張力の最高値を高・低、２段階に調整する張力切換機構とを備える。そして、糸調子バネの張力の最高値が高（低）の場合において、一対の糸調子皿が装着される糸調子軸に固定されたダイヤルを操作すると、広い範囲で、上糸の張力を調整できるようになっている。
【特許文献１】実公平５−１７０３０号公報
【発明の開示】
【発明が解決しようとする課題】
【０００３】
特許文献１に開示された上糸張力調整装置においては、上糸張力の最高値を２段階に切り換え、しかも各段階において広い範囲で上糸の張力調整を行うことができ、高く評価されてしかるべきものである。しかしながら、この上糸張力調整装置においては、糸調子バネの張力の最高値を高・低、２段階に調整する張力切換機構が一対の糸調子皿と糸調子バネとの間に介装されるが、上糸張力調整装置の全体はミシン機枠の外側に位置せざるを得ない。その場合、ダイヤル、一対の糸調子皿は、その性質上、ミシン機枠の外側に位置することが要請されるので、上糸張力調整装置の軸方向の長さを極力小さくしようとすれば、ミシン機枠に凹部を形成して、その中に糸調子バネを収容せざるを得ない。そうだとすれば、ミシン機枠に凹部を形成する煩瑣は不可避となる。
【０００４】
それ故に、本発明は、かかる不具合を除去した上糸張力調整装置を提供することを、技術的課題とするものである。
【課題を解決するための手段】
【０００５】
上記の課題を解決するために講じた技術的手段は、請求項１に記載のように、
「一端部がミシン機枠に固定された糸調子軸と、
前記糸調子軸上の前記ミシン機枠に近接する位置に遊嵌され、上糸を移動可能に挟持する一対の糸調子皿と、
前記糸調子軸のネジ部上に軸方向移動可能に螺合された移動体と、
前記一対の糸調子皿の一方と前記移動体との間に張設され、前記一方の糸調子皿側の端部が半径外方向に延出したのち屈曲されて前記ミシン機枠に固定された糸調子バネと、
前記糸調子軸の他端部側に回転可能に装着された糸調子ダイアルと、
前記糸調子バネの端部の延出部と対峙するように前記糸調子ダイアルに一体的に設けられ、前記糸調子ダイアルが初期位置から所定量だけ回転されたときに前記糸調子バネの端部の延出部に乗り上げるリブ部材と、
前記糸調子ダイアルの内部に収容され、前記糸調子ダイアルに対しては一体回転可能であって、前記糸調子ダイアルの回動時に、前記回動量に応じて前記移動体を軸方向に移動させる調整部材とを備えた、上糸張力調整装置。」
を構成したことである。
【発明の効果】
【０００６】
請求項１の発明によれば、一対の糸調子皿がミシン機枠に最も近接する位置に設けられるので、他の部材は、ミシン機枠から離れた箇所に設けられることになり、ミシン機枠に凹部を形成する必要がない。
【発明を実施するための最良の形態】
【０００７】
以下、本発明に係るミシンの上糸張力調整装置の一実施形態を添付図面にもとづいて説明する。
【０００８】
図１〜図４において、ミシンの上糸張力調整装置１０は、ミシン機枠１２に一端部が固定された糸調子軸１４を備える。糸調子軸１４の一端部側には、ミシン機枠１２に近接するように、一対の糸調子皿：第１糸調子皿１６Ａ及び第２糸調子皿１６Ｂが遊嵌ないし外嵌される。一対の糸調子皿１６Ａ・１６Ｂは、糸駒（図示略）から針穴（図示略）に供給される上糸２０を移動可能に挟持する。
【０００９】
糸調子軸１４の表面には、中央部から一端部側にかけて、ネジ部１４Ａが形成されている。このネジ部１４Ａ上には、移動体１８が螺着されている。移動体１８と第２糸調子皿１６Ｂとの間には、糸調子バネ２２が張設されている。この糸調子バネ２２の付勢力により、糸調子皿１６Ａがミシン機枠１２に押圧されて静止状態となり、上糸２０が一対の糸調子皿１６Ａ・１６Ｂ間で挟持されるが、この挟持力が上糸２０の張力となる。後述するように、糸調子バネ２２の付勢力を調整することにより、上糸２０の張力が調整される。
【００１０】
糸調子バネ２２は、図３及び図４に示されるように、コニカル状の本体部２２Ａを備え、その一端部（第２糸調子皿１６Ｂ側の端部）２２Ｂが半径外方向に延出したのち屈曲されてミシン機枠１２の穴１２Ａに係止ないしは固定される。糸調子バネ２２の延出部２２Ｃは、第２糸調子皿１６Ｂの下側外表面に沿って上下方向に延在する。
【００１１】
糸調子軸１４の他端部側の小径軸部１４Ｂには、糸調子ダイアル３０の内筒部３１が回転可能に装架されている。糸調子ダイアル３０の内筒部３１は、糸調子軸１４の小径軸部１４Ｂの他端部に固定のフランジ部材４０と大径のネジ部１４Ａに係止されたフランジ部材４１との間に位置して、軸方向移動が規制されている。糸調子ダイアル３０は、更に、内筒部３１と半径方向に対峙して内部空間３２を画成する外筒部３３と、半径方向に延在して内筒部３１と外筒部３３とを連結する壁部３４と、糸調子バネ２２の端部の延出部２２Ｃと対峙するように壁部３４から延出するリブ部材３５（図２・図５）とを備える。壁部３４とリブ部材３５とは別体で構成してから、双方を連結しても良い。
【００１２】
糸調子ダイアル３０の内部空間３２には、調整部材５０が収容される。調整部材５０の内筒部５１は、糸調子ダイアル３０の内筒部３１上に、相対回転可能且つ軸方向移動可能に装架される。調整部材５０の外筒部５２は、半径方向に延在する壁部５３を介して内筒部５１と連結されている。調整部材５０の外筒部５２は、糸調子ダイアル３０の外筒部３２と一体的に連結されており、糸調子ダイアル３０の外筒部３２を回動させると、調整部材５０の内筒部５１は、糸調子ダイアル３０の内筒部３１上を回動する。
【００１３】
調整部材５０の壁部５３からは、中間部５４が第２糸調子皿１６Ｂに向かって、内筒部５１と平行に、延出する。中間部５４の内周部５５は、移動体１８の外周部１８Ａとスプライン係合している。上記したように、糸調子ダイアル３０の外筒部３３を回動させると、調整部材５０の内筒部５１は、糸調子ダイアル３０の内筒部３１上を回動する。調整部材５０の内筒部５１の回動は、調整部材５０の中間部５４の同時回動を惹起させる。しかして、中間部５４の内周部５５が、糸調子軸１４のネジ部１４Ａに螺着される移動体１８の外周部１８Ａとスプライン係合しているので、調整部材５０の内筒部５１の回動は、移動体１８をして糸調子軸１４のネジ部１４Ａ上を軸方向移動して、第２糸調子皿１６Ｂと移動体１８との間に配置された糸調子スプリング２２の軸方長さを伸縮して、一対の糸調子皿１６Ａ・１６Ｂが上糸２０を挟持する力、つまり上糸２０の張力が調整される。
【００１４】
糸調子ダイアル３０の回動方向が、図２で見て時計方向の場合、上糸２０の張力が増加される。この場合、糸調子ダイアル３０の図２の時計方向回動は、リブ部材３５が図２・図５で示される位置から図６・図７・図８で示される位置にまで、回動変移される。図６・図７・図８で示される位置においては、リブ部材３５は、糸調子スプリング２２の延出部２２Ｃに乗り上げた状態で、第２糸調子皿１６Ｂを第１糸調子皿１６Ａ側に押圧する。この押圧力が、乗り上げ前から第２糸調子皿１６Ｂを第１糸調子皿１６Ａ側に押圧する糸調子スプリングの付勢力に付加されるので、一対の糸調子皿１６Ａ・１６Ｂが上糸２０を挟持する力、つまり上糸２０の張力が増加されることになる。尚、リブ部材３５が円滑に糸調子スプリング２２の延出部２２Ｃに乗り上げることが出来るように、リブ部材３５には斜面３６が形成される。
【００１５】
また、糸調子スプリング２２の延出部２２Ｃ・端部２２Ｂは、回り止め部を構成するが、この回り止め部を上糸２０の通過路（糸道）近傍に設けることにより、上糸２０への張力付与を確実なものとすることが出来る。
【図面の簡単な説明】
【００１６】
【図１】本発明に係るミシンの上糸張力調整装置の一実施形態例の構成を示す横断面図。
【図２】糸調子ダイアルのリブ部材が糸調子スプリングの延出部から離れている状態を示す正面図。
【図３】糸調子スプリングの軸方向側面図。
【図４】糸調子スプリングの軸方向正面図。
【図５】糸調子ダイアルのリブ部材が糸調子スプリングの延出部から離れている状態を示す平面図。
【図６】糸調子ダイアルのリブ部材が糸調子スプリングの延出部に乗り上げているときの、ミシンの上糸張力調整装置の横断面図。
【図７】糸調子ダイアルのリブ部材が糸調子スプリングの延出部に乗り上げている状態を示す正面図。
【図８】糸調子ダイアルのリブ部材が糸調子スプリングの延出部に乗り上げている状態を示す平面図。
【図９】糸調子ダイアルの回動量と上糸張力との関係を示すグラフ。
【符号の説明】
【００１７】
１０：上糸張力調整装置
１２：ミシン機枠
１４：糸調子軸
１６Ａ：第１糸調子皿
１６Ｂ：第２糸調子皿
２２：糸調子バネ
２２Ｃ：延出部
３０：糸調子ダイアル
３５：リブ部材
５０：調整部材
【図１】
2008104752.tif 000003
【図２】
2008104752.tif 000004
【図３】
2008104752.tif 000005
【図４】
2008104752.tif 000006
【図５】
2008104752.tif 000007
【図６】
2008104752.tif 000008
【図７】
2008104752.tif 000009
【図８】
2008104752.tif 000010
【図９】
2008104752.tif 000011